(57)【要約】【課題】証明写真プリントを作成するにあたり、証明写真のリプリントを行う場合に必要なデータを容易に取得することができる証明写真作成装置を提供すること。【解決手段】  顔画像が撮影された顔画像データを入力する撮影カメラ１等の画像入力部と、入力された顔画像データに関するリプリントデータを生成するリプリントデータ生成部９と、顔画像データと生成されたリプリントデータとを合成してプリント用画像データを生成する画像合成部４ａと、生成されたプリント用画像データに基づいて証明写真プリントを作成するプリント作成部１２とを備えている。好ましくは、リプリントデータが形成される領域２２は、証明写真プリント２０の上辺あるいは下辺に設定されている。【選択図】図２
2006084845.tif 000002
【特許請求の範囲】
【請求項１】
証明写真プリントを作成する証明写真作成装置において、
顔画像が撮影された顔画像データを入力する画像入力部と、
入力された顔画像データに関するリプリントデータを生成するリプリントデータ生成部と、
顔画像データと生成されたリプリントデータとを合成してプリント用画像データを生成する画像合成部と、
生成されたプリント用画像データに基づいて証明写真プリントを作成するプリント作成部とを備えていることを特徴とする証明写真作成装置。
【請求項２】
前記リプリントデータが形成される領域は、証明写真プリントの上辺あるいは下辺に設定されていることを特徴とする請求項１に記載の証明写真作成装置。
【請求項３】
顔画像データをその識別データと対応付けて保存する画像保存部を備え、
リプリントデータには、顔画像データを識別するための識別データが含まれ、この識別データに基づいて画像保存部から対応する顔画像データを読み出し可能に構成したことを特徴とする請求項１又は２に記載の証明写真作成装置。
【請求項４】
前記リプリントデータには、顔画像データに対する画像補正データが含まれることを特徴とする請求項１〜３のいずれか１項に記載の証明写真作成装置。
【発明の詳細な説明】
【技術分野】
【０００１】
本発明は、証明写真プリントを作成する証明写真作成装置に関するものである。
【背景技術】
【０００２】
証明写真を作成する証明写真作成装置としては、例えば、下記特許文献１，２に開示するものが知られている。証明写真は、例えば、パスポートや免許証の取得のために用いられるものであり、証明写真作成装置により顔画像を撮影すると、所定の大きさの顔画像を複数枚（例えば、４枚）並べて配置した証明写真プリントを作成する。そして、専用のカッターを用いて個々の顔画像の写真に切断し、パスポートや免許証に貼り付けられる。
【０００３】
一方、証明写真プリントを作成するにあたり、取得された顔画像データをモニター画面に表示させて、適切な写真プリントが作成されるかどうかの判定を行う。オペレータは、モニター画面を見ながら色・濃度についての判定等を行い、必要に応じて色・濃度の補正を行う。証明写真ではない、一般的な写真プリントの場合、かかる補正データやその他の画像に関するデータは、写真プリントの裏面にドットインパクトプリンタあるいはインクジェットプリンタ等を用いて印字している。
【０００４】
しかしながら、証明写真の場合、かかるデータの印字を写真プリント裏面に行うと、その印字が透けて表に見えてくることがある。これは、証明写真の場合、画像の背景が青あるいはグレーなどの単一のトーンで撮影されることが多く、裏面の印字が通常の写真プリントに比べると見えやすい状況にある。従って、証明写真の場合は、裏面に印字を行わないのが通常である。本来、裏面に印字すべきデータは、その画像についてリプリントする場合に活用されるものであり、証明写真の焼き増しを行う場合には、同じ補正データを用いて証明写真プリントを作成する必要がある。そのため、写真店のオペレータは、補正データの内容を記憶しておくか、別途メモに残しておく必要があり面倒であった。
【特許文献１】特開２０００−３３０１８９号公報
【特許文献２】特開２００３−７５９０４号公報
【発明の開示】
【発明が解決しようとする課題】
【０００５】
本発明は上記実情に鑑みてなされたものであり、その課題は、証明写真プリントを作成するにあたり、証明写真のリプリントを行う場合に必要なデータを容易に取得することができる証明写真作成装置を提供することである。
【課題を解決するための手段】
【０００６】
上記課題を解決するため本発明に係る証明写真作成装置は、
証明写真プリントを作成する証明写真作成装置において、
顔画像が撮影された顔画像データを入力する画像入力部と、
入力された顔画像データに関するリプリントデータを生成するリプリントデータ生成部と、
顔画像データと生成されたリプリントデータとを合成してプリント用画像データを生成する画像合成部と、
生成されたプリント用画像データに基づいて証明写真プリントを作成するプリント作成部とを備えていることを特徴とするものである。
【０００７】
かかる証明写真作成装置の作用・効果を説明する。この装置は、顔画像データを画像入力部を介して取得する。リプリントデータ生成部は、入力された顔画像データに関するリプリントデータを生成する。画像合成部は、顔画像データとリプリントデータとを合成してプリント用画像データを生成する機能を有する。すなわち、リプリントデータをプリントの裏面に印字するのではなく、プリントの表面に画像の一部として形成する。合成されたプリント用画像データに基づいて、プリント作成部にて、証明写真プリントを作成する。例えば、証明写真プリントから顔画像プリント部分を切断して切り離すときに、リプリントデータのプリント部分も顔画像とは別に切り離すようにできる。このリプリントデータのプリント部分に形成されたデータを用いることで、リプリントのためのデータを容易に確認・取得することができる。その結果、証明写真プリントを作成するにあたり、証明写真のリプリントを行う場合に必要なデータを容易に取得することができる。
【０００８】
本発明において、前記リプリントデータが形成される領域は、証明写真プリントの上辺あるいは下辺に設定されていることが好ましい。
【０００９】
証明写真プリントに顔画像が複数形成される場合は、個々の顔画像をカッターで切り離す必要がある。リプリントデータをプリントの上辺又は下辺に設定することで、切り離しを容易に行うことができる。
【００１０】
本発明において、顔画像データをその識別データと対応付けて保存する画像保存部を備え、
リプリントデータには、顔画像データを識別するための識別データが含まれ、この識別データに基づいて画像保存部から対応する顔画像データを読み出し可能に構成することが好ましい。
【００１１】
顔画像データを保存しておくことで、再度写真撮影を行う必要がなくなる。また、画像保存部には識別データと対応付けて顔画像データを保存し、この識別データに基づいて対応する顔画像データを読み出すことができる。従って、リプリントデータとして識別データを含めることで、同じ証明写真プリントを容易に再現できるようになる。
【００１２】
本発明に係るリプリントデータには、顔画像データに対する画像補正データが含まれることが好ましい。画像補正データとして、例えば、色・濃度の補正データをプリントしておくことで、リプリントにおいて同じ補正を再現することができる。これにより、同じ証明写真プリントを容易に再現できるようになる。
【発明を実施するための最良の形態】
【００１３】
本発明に係る証明写真作成装置の好適な実施形態を図面を用いて説明する。図１は、証明写真作成装置の構成を示す機能ブロック図である。
【００１４】
＜証明写真作成装置の構成＞
図１において、撮影カメラ１が設けられており、人物の顔画像を所定の構図で撮影する。撮影カメラ１は、ＣＣＤカメラ等の適宜のカメラを用いることができる。データ処理部２は、撮影カメラ１により得られた画像信号をサンプリング及びＡ／Ｄ変換等を行う。得られたデジタルの顔画像データは、フレームメモリ３に一時的に保存される。
【００１５】
画像処理部４は、取得された顔画像データに対する種々の画像処理を行う機能を有する。また、画像合成部４ａの機能も設けられている。オペレータは、証明写真プリントを作成する前に、色・濃度が適切な状態でプリントされるか等を予め判断することができ、必要に応じて、色・濃度の補正データを入力できるように構成されている。入力された画像データは、表示制御部５を介してモニター画面に表示させることができる。オペレータは、このモニター画面を見ながら色・濃度の判定を行うことができる。また、その他に階調補正や赤目補正などの特殊補正を行うようにしてもよい。補正データは、補正データ入力部７を介して入力することができ、キーボードやマウスが補正データ入力部７として機能する。
【００１６】
テンプレートデータ保存部８には、証明写真プリントを作成するためのテンプレートデータが保存されている。テンプレートデータを用いて、取得した顔画像データを嵌め込み合成することで、証明写真プリントを作成するためのプリント用画像データを生成することができる。リプリントデータ生成部９は、入力された顔画像データに関するリプリントデータを生成する機能を有する。リプリントとは、焼き直しプリントあるいは焼き増しプリントのことである。焼き直しプリントは、証明写真プリントを作成したが、画質等が良くない場合に、プリント条件を変更して再度同じ証明写真プリントを作成する処理である。焼き増しプリントとは、顧客の依頼に応じて同じ証明写真プリントを再度作成する処理である。
【００１７】
リプリントデータとしては、その顔画像データを特定するための識別データが含まれており、リプリントデータ生成部９は、識別データ生成手段９ａの機能を備えている。画像保存部１０は、取得した顔画像データを長期間保存しておくための記憶装置であり、ハードディスク等の大容量記憶装置が使用される。顔画像データは、その顔画像データに対して付与された識別データと対応付けられた状態で画像保存部１０に保存される。従って、その識別データを指定することで、画像保存部１０に保存されている顔画像データを特定することができ、適宜データを読み出すことができる。識別データとしては、適宜の数字、文字の組み合わせなどにより付与される。画像ファイルのファイル名を識別データとしてもよい。また、識別データはオーダーを特定するデータとしても用いることができる。
【００１８】
また、リプリントデータとしては、画像補正データが含まれる。焼き増しプリントの場合は、前回と同じ画質の証明写真プリントを作成する必要があり、画像補正データも同じデータを使用する必要がある。例えば、色・濃度の補正を行った場合には、かかる補正データをリプリントデータとする。リプリントの際には、その補正データを用いて画像処理を行うことができる。
【００１９】
画像処理部４において画像処理及び画像合成がされることで生成されたプリント用画像データは、画像転送部１１を介してプリント作成部１２に送信され、プリント作成部１２にて証明写真プリントが作成される。プリント作成部１２については、種々のタイプのプリンタを使用することができ、例えば、熱昇華型プリンタ、熱転写式プリンタ、インクジェットプリンタ等を用いることができる。
【００２０】
＜証明写真プリントの構成例＞
次に、証明写真プリントの構成例を図２により説明する。図２において、プリント２０は、５つの領域に分かれており顔画像が形成される４つの領域２１と、リプリントデータが形成される領域２２とに分けられる。このような領域２１，２２の配置は、テンプレートデータに基づいて行われるものである。証明写真プリント２０における顔画像の大きさは、テンプレートデータに依存するものであり、入力した顔画像データの拡大あるいは縮小処理（サムネイル画像化）により、適切なサイズの顔画像データにすることができる。また、リプリントデータの領域２２は、上辺に形成されており、識別データが形成される領域部分２２ａと、補正データが形成される領域部分２２ｂとを有している。なお、識別データは、バーコードにより形成してもよい。補正データとしては、Ｙ（イエロー）Ｍ（マゼンタ）Ｃ（シアン）Ｄ（濃度）についての補正値が形成されている。
【００２１】
証明写真として使用する場合には、カットラインＬ１，Ｌ２，Ｌ３により証明写真プリント２０を切断して切り離す。領域２２の部分は、顧客において保管するようにし、顧客が焼き増しを依頼する場合は、その切り離した領域２２を写真店に持っていけばよい。領域部分２２ａを読み取ることで、画像保存部１０に保存されている顔画像データを読み出すことができる。また、補正データも前回と同じ補正を行うことができるので、同じ画質の証明写真プリントを得ることができる。
【００２２】
＜証明写真プリントの作成手順＞
証明写真プリントを作成するまでの手順を図３のフローチャートにより簡単に説明する。まず、写真撮影を行い、顔画像データを取得する（＃１、＃２）。取得された顔画像データは、画像保存部１０に保存される。このとき、識別データ生成手段９ａの機能に基づいて固有の識別データが自動生成され、この識別データと関連付けられた状態で顔画像データが保存される（＃３）。次に、画像合成及び画像補正を行う（＃４）。作成すべきテンプレートデータを選択すると共に、顔画像データに対する色・濃度の補正を必要に応じて行う。画像補正等が終了すると、プリント用画像データをプリント作成部１２へと転送する。転送された画像データに基づいて、プリント作成部１２は証明写真プリントを作成し、装置外部に排出する（＃６、＃７）。排出された証明写真プリントを切断する（＃８）。なお、カッターは専用のカッターを用いることができ、一度の切断操作で、顔画像とリプリントデータの領域を切り離すことができる。
【００２３】
＜証明写真プリントの別実施形態＞
証明写真プリントの別実施形態を図４に示す。図４（ａ）は、顔画像の領域２１及びリプリントデータの領域２２に縁を形成した作成例である。（ｂ）は、リプリントデータの領域２２を下辺に形成した作成例である。その他の例として、領域２２を左辺や右辺に形成してもよい。また、顔画像の枚数や大きさなどは、証明写真の目的等に応じて変更できるものである。
【００２４】
＜別実施形態＞
画像入力部は、撮影カメラを介して入力したが、他の方法で入力してもよい。例えば、デジタルカメラの記憶媒体やその他の記憶メディアを介して入力してもよい。あるいは、インターネット経由で画像データを取得してもよい。
【図面の簡単な説明】
【００２５】
【図１】証明写真作成装置の構成を示す機能ブロック図
【図２】証明写真プリントの作成例
【図３】証明写真プリントを作成する手順を示すフローチャート
【図４】証明写真プリントの別の作成例
【符号の説明】
【００２６】
１        撮影カメラ
２        データ処理部
３        フレームメモリ
４        画像処理部
４ａ      画像合成部
７        補正データ入力部
８        テンプレートデータ保存部
９        リプリントデータ生成部
９ａ      識別データ生成手段
１０      画像保存部
１１      画像転送部
１２      プリント作成部
２０      証明写真プリント
２１，２２      領域
２２ａ，２２ｂ  領域部分
【図１】
2006084845.tif 000003
【図２】
2006084845.tif 000004
【図３】
2006084845.tif 000005
【図４】
2006084845.tif 000006